(57)【要約】【課題】逆光の場合であっても、撮像領域の中央近傍に位置する被写体の適正露出を簡易な構成で得ることが可能な測光装置及び撮像装置を提供する。【解決手段】測光装置１は、撮像装置に取り付けられる測光装置であって、開口２１を含む遮光板２０と、遮光板２０の開口２１を通過した光の強度を測定する受光素子３０と、を有し、遮光板２０の開口２１は、当該開口２１の上端から左下と右下のそれぞれに延びる左右の上辺２２を含む。測光装置１は、光学系と、シャッタ機構を含む露出機構と、受光素子によって測定された光の強度に基づいて、露出機構を制御する露出制御部と、を備える撮像機構と、を有する撮像装置に搭載しても良い。【選択図】図３
2017032786.tif 000002
【特許請求の範囲】
【請求項１】
撮像装置に取り付けられる測光装置であって、
開口を含む遮光板と、
前記遮光板の開口を通過した光の強度を測定する受光素子と、を有し、
前記遮光板の開口は、当該開口の上端から左下と右下のそれぞれに延びる左右の上辺を含む、測光装置。
【請求項２】
前記開口は、前記左右の上辺の下方にて左右の方向に延びた底辺をさらに含む、請求項１に記載の測光装置。
【請求項３】
前記開口は、前記左右の上辺の下端と前記底辺の左右の端部とのそれぞれを接続する左右の側辺をさらに含み、
前記左右の側辺は、それぞれ、左右に突き出た形状をなす、請求項２に記載の測光装置。
【請求項４】
前記左右の上辺の各々は、左右の方向に対して１５〜２５°傾斜している、請求項１から３のいずれか１項に記載の測光装置。
【請求項５】
請求項１から４のいずれか１項に記載の測光装置と、
光学系と、シャッタ機構を含む露出機構と、前記受光素子によって測定された光の強度に基づいて、前記露出機構を制御する露出制御部と、を備える撮像機構と、
を有する撮像装置。
【請求項６】
前記露出機構は、絞り機構をさらに含む、請求項５に記載の撮像装置。
【請求項７】
前記受光素子から見たときに、前記撮像機構の矩形の撮像領域の上辺と前記遮光板の開口の上端とが重なっている、請求項５又は６に記載の撮像装置。
【発明の詳細な説明】
【技術分野】
【０００１】
本発明は、測光装置及び撮像装置に関する。
【背景技術】
【０００２】
カメラなどの撮像装置には、適正露出を自動で決定するために、撮像領域から受けた光の強さを測定する測光装置を備えたものがある。
【０００３】
例えば、特許文献１には、受光素子と、受光素子から被写体側に向かって次第に広がる略矩形の角錐状に形成された開口と、を含む測光装置が開示されている。この測光装置は、受光素子が開口を通過した光を受けることで、カメラの撮像領域（画角）全体から受ける光の強さを測定する。
【先行技術文献】
【特許文献】
【０００４】
【特許文献１】特開２０１４−５９３７３号公報
【発明の概要】
【発明が解決しようとする課題】
【０００５】
特許文献１に開示された測光装置は、撮像領域全体から受ける光の強度を測定する。このため、撮影領域内あるいはその近傍に太陽等の高輝度の物体が位置すると、逆光となって、受光素子が主要でない被写体からの強い光に反応して、主要な被写体の適正露出が得られなくなる。その結果、主要な被写体の暗く不鮮明な写真が撮影されてしまうことがある。
逆光時に、ストロボを発光させる等の対応も考えられるが、構成及び制御が複雑となると共に撮像装置が大型化してしまう。
【０００６】
本発明は、上記問題点に鑑みてなされたものであり、逆光の場合であっても、撮像領域の中央近傍に位置する被写体の適正露出を簡易な構成で得ることが可能な測光装置及び撮像装置を提供することを目的とする。
【課題を解決するための手段】
【０００７】
上記目的を達成するため、本発明に係る測光装置は、
撮像装置に取り付けられる測光装置であって、
開口を含む遮光板と、
前記遮光板の開口を通過した光の強度を測定する受光素子と、を有し、
前記遮光板の開口は、当該開口の上端から左下と右下のそれぞれに延びる左右の上辺を含む。
【０００８】
一般的に、撮像領域は、矩形であり、その中央近傍に主要な被写体を位置付けるように撮影されることが多い。このような場合であっても、本発明に係る遮光板では、左右の上辺によって、撮像領域の右上部や左上部からの光を遮ることができる。
【０００９】
そのため、従来のように矩形の開口が設けられている場合よりも、受光素子が主要な被写体の斜め上方の太陽の光から受ける光の強さが低減され、受光素子が受ける光のうち主要な被写体から受ける光の割合を増加させることができる。従って、逆光の場合であっても、主要な被写体の適正露出を得ることが可能になる。
【００１０】
例えば、前記開口は、前記左右の上辺の下方にて左右の方向に延びた底辺をさらに含んでもよい。
【００１１】
一般的に、逆光下において、受光素子は、地面などで反射した強い光を下方から受けることが多い。本発明に係る遮光板では、底辺によって、地面などで反射した光の少なくとも一部を遮ることができる。従って、逆光の場合であっても、主要な被写体の適正露出を得ることが可能になる。
【００１２】
例えば、前記開口は、前記左右の上辺の下端と前記底辺の左右の端部とのそれぞれを接続する左右の側辺をさらに含み、前記左右の側辺は、それぞれ、左右に突き出た形状をなしてもよい。
【００１３】
画像として重要度（注目度）の低い撮像領域の左右両端部からの光が遮蔽されることで、主要な被写体からの光が主に測光されることとなり、主要な被写体の露光がより適切となる。
一般的に、逆光下において、主要な被写体のみから受ける光に応じた露出では、主要でない被写体について白く不鮮明な写真が撮影されてしまうことがある。また、撮影領域のうち上下方向の中央近傍に位置する被写体から受ける光は、過度に強い光でないことが多い。そのため、開口の左右の側辺がそれぞれ左右に突き出た形状であることによって、受光素子は、主要な被写体から受ける光だけでなく、主要でない被写体から受ける光を適度に受けることができる。従って、逆光の場合であっても、適正露出を得ることができる。
【００１４】
例えば、前記左右の上辺の各々は、左右の方向に対して１５〜２５°傾斜していてもよい。
【００１５】
これにより、受光素子が主要な被写体の斜め上方の太陽から受ける光の強さを適度に低減し、受光素子が受ける光のうち主要な被写体から受ける光の割合を適切にすることができる。従って、逆光の場合であっても、主要な被写体の適正露出を得ることが可能になる。
【００１６】
上記目的を達成するため、本発明に係る撮像装置は、
前記測光装置と、
光学系と、シャッタ機構を含む露出機構と、前記受光素子によって測定された光の強度に基づいて、前記露出機構を制御する露出制御部と、を備える撮像機構と、
を有する。
【００１７】
これにより、撮像装置は、逆光の場合であっても、主要な被写体の適正露出を得ることが可能になる。
【００１８】
例えば、前記露出機構は、絞り機構をさらに含んでもよい。
【００１９】
これにより、撮像装置は、逆光の場合であっても、主要な被写体のさらに適正な露出を得ることが可能となる。
【００２０】
例えば、前記受光素子から見たときに、前記撮像機構の矩形の撮像領域の上辺と前記遮光板の開口の上端とが重なっていてもよい。
【００２１】
これにより、左右の上辺の上端が、撮像領域の上辺に達しているので、受光素子から見たときに上端の鉛直下方に位置する主要な被写体からの光は、ほとんど遮光されない。
【発明の効果】
【００２２】
本発明によれば、逆光の場合であっても、撮像領域の中央近傍に位置する被写体の適正露出を簡易な構成で得ることができる。
【図面の簡単な説明】
【００２３】
【図１】本発明の実施の形態に係るインスタントカメラの斜視図である。
【図２】実施の形態に係るインスタントカメラの構成を示す図である。
【図３】実施の形態に係る測光装置の分解斜視図である。
【図４】実施の形態に係る測光装置の平面図である。
【図５】図４のＡ−Ａ線における測光装置の断面図である。
【図６】実施の形態に係る遮光板の正面図である。
【図７】受光素子から見たときの遮光板と撮像領域との位置関係を説明するための図である。
【図８】遮光板の作用を説明するための図である。
【図９Ａ】第１の変形例に係る遮光板を示す正面図である。
【図９Ｂ】第２の変形例に係る遮光板を示す正面図である。
【図９Ｃ】第３の変形例に係る遮光板を示す正面図である。
【図９Ｄ】第４の変形例に係る遮光板を示す正面図である。
【図１０】第５の変形例に係る遮光板を示す正面図である。
【図１１Ａ】遮光板と撮像領域の位置の第１の変形例を説明するための図である。
【図１１Ｂ】遮光板と撮像領域の位置の第２の変形例を説明するための図である。
【図１２Ａ】遮光板と撮像領域の位置の第３の変形例を説明するための図である。
【図１２Ｂ】遮光板と撮像領域の位置の第４の変形例を説明するための図である。
【図１３】実施の形態（変形例）に係るインスタントカメラの構成を示す図である。
【発明を実施するための形態】
【００２４】
以下、図面を参照して、本発明の一実施の形態に係る測光装置１と測光装置１を備えるインスタントカメラ２を説明する。
【００２５】
測光装置１は、図１に示すようにインスタントカメラ２の正面に配設され、適正露出が得られるように、画像が撮影される領域である撮像領域（画角）から受けた光の強さを測定するための装置である。
【００２６】
ここで、インスタントカメラ２は、撮像領域に含まれる画像を撮影するための撮像装置の一例であって、撮像領域（画角）が固定された構成を有するものとする。
インスタントカメラ２は、図１及び図２に示すように、測光装置１の他に、レンズ３と、レンズカバー３ａと、フィルム４と、レリーズボタン５と、シャッタ羽根７と、シャッタ羽根７を制御するシャッタ制御機構７ａと、シャッタ制御機構７ａを制御する制御部８と、を有する。ここで、レンズ３は、フィルム４に被写体の画像を結像するための光学系を構成するものであり、単数でも複数でもよい。
【００２７】
測光装置１は、図３から図５に示すように、筐体１０と、撮像領域からの光の一部を遮光する遮光板２０と、遮光板２０を通過した光の強さを測定する受光素子３０と、カバー部材４０と、バネ４５と、を有する。
【００２８】
なお、以下の説明において、前、後、上、下、左、右の用語は、撮影者がインスタントカメラ２を基本的な撮影姿勢であり、横長の画像が得られる横位置に構えて、レンズ３の光軸９に沿って被写体を見た時の前、後、上、下、左、右を意味する。例えば、前側は被写体側、後側はインスタントカメラ２側、上側は鉛直線上側、下側は鉛直線下側、左側は、光軸９に沿って前方を見たときの左側、右側は、光軸９に沿って前方を見たときの右側、を、それぞれ、意味する。
【００２９】
筐体１０は、樹脂等から形成され、遮光板２０、受光素子３０及びカバー部材４０を収容する。
【００３０】
筐体１０は、図３及び図５に示すように、収容部１１と、当接部１２と、筒部１３と、遮光板取付部１４と、カバー取付部１５と、溝部１６と、を有する。
【００３１】
収容部１１には、受光素子３０と受光素子３０が配置された基板３１とが、受光素子３０の受光面が筒部１３の中空部に露出するように収容される。
当接部１２は、その後面が、受光素子３０の周縁部が当接する当接面を形成し、中央に開口が形成され、受光素子３０の受光用レンズが挿入されている。
筒部１３は、錐状に形成され、当接部１２と接続して、撮像領域からの光の光路を形成する。筒部１３の光学中心軸（光路の中心軸）は受光素子３０の光軸３２と一致する。
遮光板取付部１４は、筒部１３に段差をもって接続しており、筒部１３よりも大きな内径を有し、後述する遮光板２０が取り付けられる。遮光板取付部１４の、光軸３２に垂直な断面は、遮光板２０の位置合わせと回転防止のため、Ｄ字状に形成されている。遮光板２０については、後述する。
カバー取付部１５は、遮光板取付部１４の前側端部に内径を大きくする段差を介して接続しており、カバー部材４０が取り付けられる。
溝部１６には、カバー部材４０の位置合わせ用の突出部４２が嵌め込まれる。
【００３２】
遮光板２０は、遮光性の樹脂等から形成された平板状の部材であり、図６に示すように、正面から見てＤ字形状をなしており、同じＤ字形状をなしている遮光板取付部１４の内周部に嵌め込まれている。
【００３３】
遮光板２０は、光を通過させる開口２１を含んでいる。
【００３４】
開口２１は、光軸３２を中心として左右対称に形成されており、その上端から左下と右下のそれぞれに直線状に延びる左上辺２２Ｌと右上辺２２Ｒと、左右方向に延びた底辺２３と、左右の上辺２２Ｌ，２２Ｒの下端と底辺２３の左右の端部とをそれぞれ接続する左右の側辺２４Ｌ，２４Ｒと、を含み、平面視で、おおよそ五角形の形状を有する。ここで、直線Ｄは上下の方向を示し、直線Ｅは左右の方向を示す。
【００３５】
左上辺２２Ｌと右上辺２２Ｒは、各々、左右方向に対して２０°傾斜している。底辺２３は、直線状に形成されている。また、左右の側辺２４Ｌ，２４Ｒは、それぞれ、左右に突き出た円弧状をなしている。
遮光板２０の機能については、後述する。
【００３６】
受光素子３０は、図５に示すように、基板３１に固定されている。また、受光素子３０は、その受光面が当接部１２を介して筒部１３の中空部に露出するように、当接部１２に当接している。ここで、受光面は、受光素子３０が光を受ける面である。
基板３１には、受光素子３０に接続された回路配線が形成されている。基板３１は、後側からバネ４５で付勢されている。この付勢により、受光素子３０は当接部１２に押圧されている。
【００３７】
なお、基板３１には、他に種々の部品が設けられてもよい。
【００３８】
カバー部材４０は、測光装置１の内部に粉塵や水滴などが入り込むこと、特に受光素子３０の受光面に粉塵や水滴などが付着することを防止するために、遮光板２０及び受光素子３０の前側に設けられる部材である。カバー部材４０は、図３に示すように円板状のカバー部４１と、カバー部４１の外周部から径方向の外方へ突き出す突出部４２とを有する。
【００３９】
カバー部材４０は、突出部４２が溝部１６に嵌まるように、カバー取付部１５に嵌め込まれており、例えば接着剤によって、筐体１０に固定されている。
【００４０】
上記構成を有する測光装置１について、さらに説明する。
測光装置１は、インスタントカメラ２の撮像領域（画角）６０と遮光板２０とが、以下に示す関係を満たすように、そのサイズ、取り付け位置等が調整されている。
【００４１】
まず、受光素子３０から撮像領域６０を見たときに、図７に模式的に示すように、開口２１の上端Ｐｔが撮像領域（画角）６０の上辺のほぼ中央に位置し、開口２１の底辺２３、左上辺２２Ｌ、右上辺２２Ｒ、左側辺２４Ｌ、右側辺２４Ｒが撮像領域（画角）６０内に位置するように、開口２１のサイズと位置が設定されている。
【００４２】
通常、主要な被写体は、図８に示すように、撮像領域６０の中央に配置される。また、逆光の原因となる太陽は、通常、被写体の真上から少しずれた上方に位置する。
従って、図８に例示するような配置構成とすることにより、主要な被写体が位置する撮像領域６０の中央部からの光は、遮光されることなく測光の対象とされる一方、逆光の原因となる、主要な被写体の斜め上方からの光は、遮光板２０により遮光されて受光素子３０への入射が制限される。
【００４３】
また、遮光板２０の開口２１の底辺２３が、撮像領域６０の下辺よりも上に位置しているので、逆光下において、地面などで反射した光の一部が遮蔽され、反射光の影響が軽減される。
【００４４】
また、左右側辺２４Ｌ，２４Ｒが撮像領域６０内に位置するため、画像として重要度（注目度）の低い左右両端部からの光が遮蔽され、主要な被写体からの光が主に測光されることとなり、主要な被写体の露光が適切となる。
【００４５】
一方、逆光下において、主要な被写体から受ける光のみに応じた露出では背景が白く不鮮明になってしまうおそれがある。また、撮影領域６０のうち上下方向の中央近傍から受ける光は、仮に逆光であっても、過度に強い光でないことが多い。そのため、左右の側辺２４Ｌ，２４Ｒを円弧状として、中央近傍からの光を通過させることで、受光素子３０は、主要な被写体の背景から受ける光を適度に受けることができる。従って、逆光の場合であっても、被写体の適正露出を得ることができる。
【００４６】
次に、上記構成を有するインスタントカメラ２と測光装置１の動作について説明する。
本実施の形態では、図８に示すように、人５０を主要な被写体として撮影する場合を例に説明する。
【００４７】
撮影者が、撮像領域６０の概ね中央に主要な被写体である人５０を配置した構図を決めて、レリーズボタン５を押したとする。撮影者がレリーズボタン５を押したことに応答して、制御部８は、受光素子３０を制御し、撮像領域６０からの光のうち、開口２１を通過した光の強度を測定させる。
【００４８】
上述したように、遮光板２０の開口２１の左右上辺２２Ｌ，２２Ｒは、撮像領域６０の上辺よりも下に位置している。このため、主たる被写体である人５０の左上に位置する太陽Ｓからの光（逆光）は、遮光板２０によりある程度遮光される。一方、撮像領域６０の中央に位置する人５０からの光は、左右上辺２２Ｌ，２２Ｒの上端が、撮像領域６０の上辺の中央に達しているため、ほとんど制限を受けない。
【００４９】
また、左右の側辺２４Ｌ，２４Ｒが撮像領域６０の内部に位置しているため、太陽Ｓからの光で、撮像領域６０の側方からの光が一部遮光される。ただし、比較的注目度の高い中央部の光は、相対的に注目度の低い左側端部及び右側端部からの光よりも多く入射し、測光される。
【００５０】
さらに、開口２１の底辺２３が、撮像領域６０の下辺よりも上に位置しているので、砂浜や地面などで反射した太陽Ｓからの光の一部が遮断され反射光の影響が軽減される。
【００５１】
こうして、受光素子３０は、太陽Ｓからの光（逆光）が減殺され、主要な被写体である人５０からの光を主に測光し、その強度を示す測光信号を出力する。
図２に示すように、この測光信号は制御部８に供給される。
制御部８は、測光装置１からの測光信号を受けて、シャッタ速度を決定する。制御部８はシャッタ制御機構７ａを制御するが、制御部８は、決定したシャッタ速度に従ってシャッタ羽根７を動作させる。そして、主要でない被写体を含む人５０の画像がフィルム４に撮影される。
【００５２】
なお、本実施の形態の変形例として、例えば図１３に示すような、より適正露出を得ることを可能にするために、絞り羽根６と、絞り羽根６を制御する絞り制御機構６ａを含んでもよい。この変形例の場合は、図１３に示すように、制御部８は絞り制御機構６ａ及びシャッタ制御機構７ａを制御する。
【００５３】
以上説明したように、本実施の形態（変形例も含む）に係る測光装置１とインスタントカメラ２によれば、撮像領域６０の右上部や左上部からの光が、遮光板２０により遮光される。従って、逆光の場合においても、受光素子３０が受ける光のうち主要な被写体（撮像領域６０の中央部）から受ける光の割合を増加させることができる。これにより、逆光の場合においても適正露出を得ることが可能になる。
【００５４】
また、砂浜、地面、水面などで反射した光の一部も遮光される。
【００５５】
さらに、左右の側辺２４Ｌ，２４Ｒを円弧状とすることで、背景の光を適度に測光の対象とすることができる。従って、逆光の場合であっても、被写体の適正露出を得ることができる。
【００５６】
以上、本発明の一実施の形態について説明したが、本発明は、上記の実施の形態に限定されるものではなく、種々の変形及び応用が可能である。
【００５７】
例えば、上記実施形態では、左上辺２２Ｌと右上辺２２Ｒを、左右の方向に対して２０°傾斜しているとしたが、撮像領域６０の右上部や左上部からの光を遮光出来るならば、傾斜角度は、これに限られない。例えば、左右の上辺２２Ｌ，２２Ｒは、左右の方向に対して１５〜２５°傾斜していてもよい。これによっても、主要でない被写体からの光を適度に低減することができる。
【００５８】
また、上記実施形態では、左上辺２２Ｌと右上辺２２Ｒが直線状である例を示したが、これに限定されず、左上辺２２Ｌと右上辺２２Ｒは、開口２１の上端から左下と右下のそれぞれに延びていれば、その形状は任意である。例えば、左上辺２２Ｌと右上辺２２Ｒは、図９Ａ及び図９Ｂに示すように、一又は複数の段差を含んでも良い。また、左上辺２２Ｌと右上辺２２Ｒは、図９Ｃに示すように、その一部に曲線の部分を含んでも良い。さらに、図９Ｄに示すように、全体が曲線で構成されてもよい。
【００５９】
また、左右の側辺２４Ｌ，２４Ｒは、それぞれ円弧状で左右に突き出た形状としたが、その具体的な形状は任意である。さらに、適正露出が得られるならば、図１０に示すように直線状に形成されてもよい。
【００６０】
また、受光素子３０から見たとき、開口２１の上端Ｐｔが撮像領域６０の上辺と一致していることが原則であるが、適正露出を得ることが出来るならば、図１１Ａ及び図１１Ｂに示すように、撮像領域６０の上辺よりも下又は上に位置して良い。
【００６１】
上記実施の形態では、撮像領域６０の周縁部からの光を遮光して、中央部からの光を測光対象としたが、例えば、図１２Ａに示すような配置構成とし、撮像領域（画角）６０の左右の上縁部からの光のみを遮光するようにしてもよい。
【００６２】
また、図１２Ｂに示すように、撮像領域（画角）６０内に左右の上縁部と下端部からの光を遮光するようにしてもよい。
【００６３】
さらに、遮光板２０は、遮光板の空転を防止するために、Ｄ字形状をなしているとしたが、Ｄ字形状ではなく、適宜、接着剤、ネジなどにより筐体１０に固定されてもよい。
【００６４】
また、測光装置１を、撮影直後に自動的に現像を行う写真フィルムを使ったインスタントカメラ２に取り付ける例を示したが、別途現像を必要とするフィルムカメラや、フィルムを含まず撮像素子（例えば、ＣＭＯＳ構成の撮像素子、ＣＣＤなど）を含むデジタルカメラなどの撮像装置に取り付けてもよい。
【００６５】
さらに、インスタントカメラ２では、理解を容易にするため、撮像領域（画角）６０が固定であるとしたが、ズーム機能等を有し、撮像領域（画角）６０を変化させることが可能な撮像装置にも適用可能である。この場合は、逆光が問題となる人物モード等の特定の撮影モードのときの撮像領域６０と遮光板２０の位置関係が、上述した関係を満たすようにすればよい。
【００６６】
本実施形態に係る測光装置１は、光学系と、シャッタ機構を含む露出機構と、受光素子３０によって測定された光の強度に基づいて、前記露出機構を制御する露出制御部と、を備える撮像機構と、を有する撮像装置に適用されてもよい。これにより、撮像装置は、逆光の場合であっても、主要な被写体の適正露出を得ることができる。
また、前記露出機構は、絞り機構をさらに含んでもよい。これにより、逆光の場合であっても、主要な被写体のさらに適正な露出を得ることができる。
【００６７】
また、受光素子３０から見たときに、開口２１の上端Ｐｔが撮像領域（画角）６０の上辺のほぼ中央に位置しているとしたが、上端Ｐｔと撮像領域（画角）６０の上辺とが重なっていればよい。このような形状でも、左右の上辺の上端Ｐｔが、撮像領域（画角）６０の上辺に達しているので、受光素子３０から撮像領域６０を見たときに、上端Ｐｔの鉛直下方に位置する主要な被写体からの光は、遮光板２０によりほとんど遮光されない。
【００６８】
以上の説明では、撮像装置の横位置を基本的な撮影姿勢としたが、この発明は、縦長の画像が撮影される縦位置を基本姿勢とする撮像装置にも適用可能である。
【産業上の利用可能性】
【００６９】
本発明は、例えば、インスタントカメラ、デジタルカメラなどの撮像装置に利用可能である。
【符号の説明】
【００７０】
１  測光装置
２  インスタントカメラ
３  レンズ
３ａ  レンズカバー
４  フィルム
５  レリーズボタン
６  絞り羽根
６ａ  絞り制御機構
７  シャッタ羽根
７ａ  シャッタ制御機構
８  制御部
９、３２  光軸
１０  筐体
１１  収容部
１２  当接部
１３  筒部
１４  遮光板取付部
１５  カバー取付部
１６  溝部
２０  遮光板
２１  開口
２２  上辺
２３  底辺
２４  側辺
３０  受光素子
３１  基板
４０  カバー部材
４１  カバー部
４２  突出部
４５  バネ
５０  人
６０  撮像領域（画角）
Ｄ、Ｅ  直線
Ｐｔ  上端
Ｓ    太陽
【図１】
2017032786.tif 000003
【図２】
2017032786.tif 000004
【図３】
2017032786.tif 000005
【図４】
2017032786.tif 000006
【図５】
2017032786.tif 000007
【図６】
2017032786.tif 000008
【図７】
2017032786.tif 000009
【図８】
2017032786.tif 000010
【図９Ａ】
2017032786.tif 000011
【図９Ｂ】
2017032786.tif 000012
【図９Ｃ】
2017032786.tif 000013
【図９Ｄ】
2017032786.tif 000014
【図１０】
2017032786.tif 000015
【図１１Ａ】
2017032786.tif 000016
【図１１Ｂ】
2017032786.tif 000017
【図１２Ａ】
2017032786.tif 000018
【図１２Ｂ】
2017032786.tif 000019
【図１３】
2017032786.tif 000020